(57)【要約】      （修正有）【課題】フレキシブル性が高い面スイッチを提供する。【解決手段】加圧により抵抗値が変化する導電体の両面に導電布の電極を装着するフレキシブルタッチセンサで、導電体に軟質導電性ウレタンフオーム、軟質導電性ゴムスポンジ、導電性ポリエチレフオーム、導電性ゴム等を用いる。また、タッチセンサの布地に、銅＋ニッケルメッキした導電布、ニッケル銅＋銅メッキした導電布、銀メッキした導電布、金メッキした導電布等を有する。さらに、タッチセンサを保護材で保護する手段を有する。【選択図】図１
2006074729.tif 000002
【特許請求の範囲】
【請求項１】
加圧により抵抗値が変化する導電体の両面の布地に金属メッキしたに導電布電極を装着することを特徴とするフレキシブルタッチセンサ。
【請求項２】
請求項１の導電体に軟質導電性ウレタンフォ−ムを用いることを特徴とするフレキシブルタッチセンサ。
【請求項３】
請求項１の導電体に軟質導電性ゴムスポンジを用いることを特徴とするフレキシブルタッチセンサ。
【請求項４】
請求項１の導電体に導電性ポリエチレフォ−ムを用いることを特徴とするフレキシブルタッチセンサ。
【請求項５】
請求項１の導電体に導電性ゴムを用いることを特徴とするフレキシブルタッチセンサ。
【請求項６】
請求項１のフレキシブルタッチセンサの導電体に導電性ペ−ストを用いることを特徴とするフレキシブルタッチセンサ。
【請求項７】
請求項１の導電体に導電性シリコンを用いることを特徴とするフレキシブルタッチセンサ。
【請求項８】
請求項１の導電体に導電性ＣＲを用いることを特徴とするフレキシブルタッチセンサ。
【請求項９】
請求項１の導電体に導電性ＮＢＲを用いることを特徴とするフレキシブルタッチセンサ。
【請求項１０】
請求項１の導電体に導電性ＳＢＲを用いることを特徴とするフレキシブルタッチセンサ。
【請求項１１】
請求項１の導電体に導電性ＥＰＤＭを用いることを特徴とするフレキシブルタッチセンサ。
【請求項１２】
請求項１の導電体に導電性ＢＲを用いることを特徴とするフレキシブルタッチセンサ。
【請求項１３】
請求項１の導電体に導電性ＮＲを用いることを特徴とするフレキシブルタッチセンサ。
【請求項１４】
請求項１〜１３のフレキシブルタッチセンサの布地に、銅＋ニッケルメッキした導電布を有することを特徴とするフレキシブルタッチセンサ。
【請求項１５】
請求項１〜１３のフレキシブルタッチセンサの布地に、ニッケル＋銅メッキした導電布を有することを特徴とするフレキシブルタッチセンサ。
【請求項１６】
請求項１〜１３のフレキシブルタッチセンサの布地に、銀メッキした導電布を有することを特徴とするフレキシブルタッチセンサ。
【請求項１７】
請求項１〜１３のフレキシブルタッチセンサの布地に、金メッキした導電布を有することを特徴とするフレキシブルタッチセンサ。
【請求項１８】
請求項１〜１３のフレキシブルタッチセンサの布地に、鉄＋ニッケルメッキした導電布を有することを特徴とするフレキシブルタッチセンサ。
【請求項１９】
請求項１〜１３のフレキシブルタッチセンサの布地に、黒金属メッキした導電布を有することを特徴とするフレキシブルタッチセンサ。
【請求項２０】
請求項１〜１９のフレキシブルタッチセンサを保護材で保護する手段を有することを特徴とするフレキシブルタッチセンサ。
【請求項２１】
請求項２０の保護材にＴＰＯを用いることを特徴とするフレキシブルタッチセンサ。
【請求項２２】
請求項２０の保護材に塩化ビニ−ルを用いることを特徴とするフレキシブルタッチセンサ。
【請求項２３】
請求項２０の保護材に合皮を用いることを特徴とするフレキシブルタッチセンサ。
【請求項２４】
請求項１〜２３のフレキシブルタッチセンサを加圧することにより抵抗値が急激に低下する圧力・抵抗特性をもつ導電体を有することを特徴とするフレキシブルタッチセンサ。
【請求項２５】
請求項１〜２３のフレキシブルタッチセンサを加圧する圧力に応じて抵抗値が変化する圧力・抵抗特性をもつ導電体を有することを特徴とするフレキシブルタッチセンサ。
【請求項２６】
請求項２４のフレキシブルタッチセンサを加圧した時をＯＮ、無負荷時をＯＦＦとしたスイッチとして用いることを特徴とするフレキシブルタッチセンサ。
【請求項２７】
請求項１〜２５の加圧により抵抗値が変化する導電体の両面に装着した導電布の電極間の導電体の加圧による抵抗値変化を、アナログに変換するアナログ変換手段を有することを特徴とするフレキシブルタッチセンサ。
【請求項２８】
請求項１〜２５の加圧により抵抗値が変化する導電体の両面に装着した導電布の電極間の加圧により抵抗値が変化する導電体の抵抗値変化を、デジタルに変換するデジタル変換手段を有することを特徴とするフレキシブルタッチセンサ。
【請求項２９】
請求項２７のアナログ変換手段出力値が設定値を超えたときのみ信号を出力するアナログ比較手段を有することを特徴とするフレキシブルタッチセンサ。
【請求項３０】
請求項２８のデジタル変換手段の出力値が設定値を超えたときのみ信号を出力するデジタル比較手段を有することを特徴とするフレキシブルタッチセンサ。
【請求項３１】
請求項２９のアナログ比較手段から出力された信号が入力されると、無線によりアナログ変換手段の出力値が規定値を超えたことを第三者に知らせる無線通報手段を有することを特徴とするフレキシブルタッチセンサ。
【請求項３２】
請求項３０のデジタル比較手段から出力された信号が入力されると、無線によりデジタル変換手段の出力値が規定値を超えたことを第三者に知らせる無線通報手段を有することを特徴とするフレキシブルタッチセンサ。
【請求項３３】
請求項２９のアナログ比較手段から出力された信号が入力されると、有線によりアナログ変換手段の出力値が規定値を超えたことを介護師に知らせる有線通報手段を有することを特徴とするフレキシブルタッチセンサ。
【請求項３４】
請求項３０のデジタル比較手段から出力された信号が入力されると、有線によりデジタル変換手段の出力値が規定値を超えたことを介護師に知らせる有線通報手段を有することを特徴とするフレキシブルタッチセンサ。
【請求項３５】
請求項１〜２５のフレキシブルタッチセンサの導電体の両面に導電布電極を平列に装着することを特徴とするフレキシブルタッチセンサ。
【発明の詳細な説明】
【技術分野】
【０００１】本発明は、フレキシブルな加圧センサに関するものである。
【背景技術】
【０００２】マットスイッチ等の電極には、銅線やアルミ箔が採用されている。
【発明が解決しようとする課題】
【０００３】そのために次のような問題点があった。
イ）アルミ箔電極は機械的強度がなかった。
ロ）そのため機械的強度を高めるために必然的に保護材が厚くなり取り扱いに難点があった。
ハ）また、アルミ箔電極は一度折れ曲がると接触不良になりやすい。
ニ）銅線電極を用いた面センサは感知帯が狭かった。
ホ）センサの面が堅くないと加圧時に導電体の抵抗変化が得られない為使用できない。
ヘ）その為、布団やエア−マット上では使用できない。
ト）上記（ホ）を解決するために堅い導電体や電極を用いる為、センサを折り曲げることが出来ないので取り扱いが難しい。
チ）また銅線電極は保護材が堅く厚くなるためセンサ上の高齢者、病人の肉体・精神的負担が大きかった。
リ）高齢者、病人のベッド、離床検知、転落、徘徊防止用としてシ−ツ下に装着したときアルミ箔電極は寿命が短かった。
【課題を解決するための手段】
【０００４】上記課題を解決するために本件の第１の発明は加圧により抵抗値が変化する導電体の両面に導電布面電極を装着することを特徴とするフレキシブルタッチセンサ。
【０００５】また第２の発明は、第１発明の導電体に軟質導電性ウレタンフォ−ムを用いることを特徴とするフレキシブルタッチセンサ。
【０００６】また第３の発明は、第１発明の導電体に軟質導電性ゴムスポンジを用いることを特徴とするフレキシブルタッチセンサ。
【０００７】また第４の発明は、第１発明の導電体に導電性ポリエチレンフォ−ムを用いることを特徴とするフレキシブルタッチセンサ。
【０００８】また第５の発明は、第１発明の導電体に導電性ゴムを用いることを特徴とするフレキシブルタッチセンサ。
【０００９】また第６の発明は、第１発明の導電体に導電性ペ−ストを用いることを特徴とするフレキシブルタッチセンサ。
【００１０】また第７の発明は、第１発明の導電体に導電性シリコンを用いることを特徴とするフレキシブルタッチセンサ。
【００１１】また第８の発明は、第１発明の導電体に導電性ＣＲを用いることを特徴とするフレキシブルタッチセンサ。
【００１２】また第９の発明は、第１発明の導電体に導電性ＮＢＲを用いることを特徴とするフレキシブルタッチセンサ。
【００１３】また第１０の発明は、第１発明の導電体に導電性ＳＢＲを用いることを特徴とするフレキシブルタッチセンサ。
【００１４】また第１１の発明は、第１発明の導電体に導電性ＥＰＤＭを用いることを特徴とするフレキシブルタッチセンサ。
【００１５】また第１２の発明は、第１発明の導電体に導電性ＢＲを用いることを特徴とするフレキシブルタッチセンサ。
【００１６】また第１３の発明は、第１発明の導電体に導電性ＮＲを用いることを特徴とするフレキシブルタッチセンサ。
【００１７】また第１４の発明は、第１〜第１３発明の布地に銅＋ニッケルメッキした導電布を有することを特徴とするフレキシブルタッチセンサ。
【００１８】また第１５の発明は、第１〜第１３発明の布地にニッケル＋金メッキした導電布を有することを特徴とするフレキシブルタッチセンサ。
【００１９】また第１６の発明は、第１〜第１３発明の布地に銀メッキした導電布を有することを特徴とするフレキシブルタッチセンサ。
【００２０】また第１７の発明は、第１〜第１３発明の布地に金メッキした導電布を有することを特徴とするフレキシブルタッチセンサ。
【００２１】また第１８の発明は、第１〜第１３発明の布地に鉄＋ニッケルメッキした導電布を有することを特徴とするフレキシブルタッチセンサ。
【００２２】また第１９の発明は、第１〜第１３発明の黒金属メッキした導電布を有することを特徴とするフレキシブルタッチセンサ。
【００２３】また第２０の発明は、第１〜第１９発明のフレキシブルタッチセンサを保護材で保護する手段を有することを特徴とするフレキシブルタッチセンサ。
【００２４】また第２１の発明は、第２０の発明の保護材にＴＰＯを用いることを特徴とするフレキシブルタッチセンサ。
【００２５】また第２２の発明は、第２０の発明の保護材に塩化ビニ−ルを用いることを特徴とするフレキシブルタッチセンサ。
【００２６】また第２３の発明は、第２０の発明の保護材に合皮を用いることを特徴とするフレキシブルタッチセンサ。
【００２７】また第２４の発明は、第１〜第２３発明の導電体に加圧することにより抵抗値が急激に低下する抵抗特性をもつ導電体を有することを特徴とするフレキシブルタッチセンサ。
【００２８】また第２５の発明は、第１〜第２３発明の導電体に加圧する圧力に応じて抵抗値が変化する抵抗特性をもった導電体を有することを特徴とするフレキシブルタッチセンサ。
【００２９】また第２６の発明は、第２４発明のフレキシブルタッチセンサを加圧した時をＯＮ、無負荷時ＯＦＦとしたスイッチとして用いることを特徴とするフレキシブルタッチセンサ。
【００３０】また第２７の発明は、第１〜第２５発明のフレキシブルタッチセンサの加圧によって抵抗値が変化する導電体の両面に装着した導電布の電極間の加圧による抵抗値変化をアナログ値に変換するアナログ返還手段を有することを特徴とするフレキシブルタッチセンサ。
【００３１】また第２８の発明は、第１〜第２５発明のフレキシブルタッチセンサの導電体の両面に装着した導電布の電極間の加圧による抵抗値変化を、デジタル変換手段を有することを特徴とするフレキシブルタッチセンサ。
【００３２】また第２９の発明は、第２７発明のフレキシブルタッチセンサのアナログ変換手段の出力値が任意に設定した値を超えたときのみ信号を出力するアナログ比較手段を有することを特徴とするフレキシブルタッチセンサ。
【００３３】また第３０の発明は、第２８発明のデジタル変換手段の出力値が任意に設定した値を超えたときのみ信号を出力するデジタルログ比較手段を有することを特徴とするフレキシブルタッチセンサ。
【００３４】また第３１の発明は、第２９発明のアナログ比較手段の出力された信号が入力されると無線によりアナログ変換手段の出力値が規定値を超えたことを第三者に知らせる無線通報手段を有することを特徴とするフレキシブルタッチセンサ。
【００３５】また第３２の発明は、第３０発明のデジタル比較手段の出力された信号が入力されると無線によりデジタル変換手段の出力値が規定値を超えたことを第三者に知らせる無線通報手段を有することを特徴とするフレキシブルタッチセンサ。
【００３６】また第３３の発明は、第２９発明のアナログ比較手段から出力された信号が入力されると有線によりアナログ変換手段の出力値が規定値を超えたことを看護師に知らせる有線通報手段を有することを特徴とするフレキシブルタッチセンサ。
【００３７】また第３４の発明は、第３０発明のデジタル比較手段から出力された信号が入力されると有線によりデジタル変換手段の出力値が規定値を超えたことを看護師に知らせる有線通報手段を有することを特徴とするフレキシブルタッチセンサ。
【００３８】また第３５の発明は、第１発明〜第２５発明のフレキシブルタッチセンサの導電体の両面に導電布電極を平列に装着することを特徴とするフレキシブルタッチセンサ。
【発明の効果】
【００３９】本発明の電極は布に金属メッキを施した導電布を用いたことで従来のアルミ箔にはないフレキシブル性が確保できるとともに機械的強度が増す。
【００４０】本発明の導電布電極は機械的強度が確保できるため保護材を厚くする必要が無くフレキシブル性が高い。そのためセンサの折り畳みが可能となり取り扱いが簡単である。
【００４１】本発明の導電布電極は折れ曲がっても切断のおそれが少ないので電極破損による故障発生の低減につながるものである。
【００４２】本発明は任意形状の面電極が可能で検知エリア内の不感知帯がないので誤報の心配がない。
【００４３】本発明は耐加重性が高いので、ベッドのパット下に装置して高齢者・病人の見守り用としても十分耐え得るものである。
【００４４】本発明は柔らかいので、エア−マットや布団上でも使用できる。
【００４５】薄くて柔らかいので、センサ上に寝ている高齢者・病人に肉体・精神的負担を与えることがない。
【００４６】本発明は従来にない大型面スイッチとして用いることが出来るので、高齢者や病人の緊急呼出し用スイッチ等に適している。
【００４７】本発明は検知面がフレキシブルなので、三次元形状面に容易に装置できる。
【００４８】本発明はセンサ面に弾力性があり、押し釦スイッチに似た感触が得られるので、フラットスイッチと比較してスイッチ操作時に安心感を与えることができる。
【００４９】フレキシブルタッチセンサは、接触面がソフトなので人体に直接装着しても違和感がない。
【００５０】フレキシブルで弾力性があるのでフレキシブルタッチセンサを装着したベッドや椅子又は車イスに着座しても高齢者や、病人に肉体的苦痛を与えることがない。
【００５１】フレキシブルタッチセンサは、薄くて軽く脱着が容易であるため高齢者でも簡単に取り扱うことができる。
【００５２】フレキシブルタッチセンサは、形状加工が簡単なので、スイッチを取り付けることができない角でも容易に装着できる。
【００５３】フレキシブルタッチセンサは、ロボット等に簡単に装着することが出来、作業者の安全を図ることが出来る。
【００５４】フレキシブルタッチセンサは、ソフトタッチセンサ上各着座人の体重変化、抵抗変化を通して電圧・電流で読取ることが出来るので、着座人の体重にあった座席検知感度を簡単に調整することが出来る。
【発明を実施するための最良の形態】
【００５５】以下、本第１発明の実施形態１について説明する。
図１において加圧によって抵抗値が変化する導電体１の両面に導電布電極２を装着する。本発明は、導電布電極２間の抵抗値は導電体１に加える圧力によって変化する。【００５６】本第２発明の実施形態２について説明する。
図１において加圧によって抵抗値が変化する導電性ウレタンフォ−ムの両面に導電布電極２を装着する。本発明は、導電布電極２間の抵抗値は導電性ウレタンフォ−ムに加える圧力によって変化する。【００５７】本第３発明の実施形態３について説明する。
図１において加圧によって抵抗値が変化する導電性ゴムスポンジの両面に導電布電極２を装着する。本発明は、導電布電極２間の抵抗値は導電性ゴムスポンジに加える圧力によって変化する。【００５８】本第４発明の実施形態４について説明する。
図１において加圧によって抵抗値が変化する導電性ポリエチレンフォ−ムの両面に導電布電極２を装着する。本発明は、導電布電極２間の抵抗値は導電性ポリエチレンフォ−ムに加える圧力によって変化する。【００５９】本第５発明の実施形態５について説明する。
図１において加圧によって抵抗値が変化する導電性ゴムの両面に導電布電極２を装着する。本発明は、導電布電極２間の抵抗値は導電性ゴムに加える圧力によって変化する。【００６０】本第６発明の実施形態について説明する。
図１において加圧によって抵抗値が変化する導電性ペ−ストの両面に導電布電極２を装着する。本発明は、導電布電極２間の抵抗値は導電性ペ−ストに加える圧力によって変化する。【００６１】本第７発明の実施形態について説明する。
図１において加圧によって抵抗値が変化する導電性シリコンの両面に導電布電極２を装着する。本発明は、導電布電極２間の抵抗値は導電性シリコンに加える圧力によって変化する。【００６２】本第８発明の実施形態について説明する。
図１において加圧によって抵抗値が変化する導電性ＣＲの両面に導電布電極２を装着する。本発明は、導電布電極２間の抵抗値は導電性ＣＲに加える圧力によって変化する。【００６３】本第９発明の実施形態について説明する。
図１において加圧によって抵抗値が変化する導電性ＮＢＲの両面に導電布電極２を装着する。本発明は、導電布電極２間の抵抗値は導電性ＮＢＲに加える圧力によって変化する。【００６４】本第１０発明の実施形態について説明する。
図１において加圧によって抵抗値が変化する導電性ＳＢＲの両面に導電布電極２を装着する。本発明は、導電布電極２間の抵抗値は導電性ＳＢＲに加える圧力によって変化する。【００６５】本第１１発明の実施形態について説明する。
図１において加圧によって抵抗値が変化する導電性ＥＰＤＭの両面に導電布電極２を装着する。本発明は、導電布電極２間の抵抗値は導電性ＥＰＤＭに加える圧力によって変化する。【００６６】本第１２発明の実施形態について説明する。
図１において加圧によって抵抗値が変化する導電性ＢＲの両面に導電布電極２を装着する。本発明は、導電布電極２間の抵抗値は導電性ＢＲに加える圧力によって変化する。【００６７】本第１３発明の実施形態について説明する。
図１において加圧によって抵抗値が変化する導電性ＮＲの両面に導電布電極２を装着する。本発明は、導電布電極２間の抵抗値は導電性ＮＲに加える圧力によって変化する。【００６８】本第１４発明の実施形態について説明する。
図１において加圧によって抵抗値が変化する導電体１の両面に布地に銅＋ニッケルメッキした導電布電極２を装着する。本発明は、布地に銅＋ニッケルメッキした導電布電極２間の抵抗値は導電体１に加える圧力によって変化する。【００６９】本第１５発明の実施形態について説明する。
図１において加圧によって抵抗値が変化する導電体１の両面に布地にニッケル＋銅メッキした導電布電極２を装着する。本発明は、布地にニッケル＋銅メッキした導電布電極２間の抵抗値は導電体１に加える圧力によって変化する。【００７０】本第１６発明の実施形態について説明する。
図１において加圧によって抵抗値が変化する導電体１の両面に布地に銀メッキした導電布電極２を装着する。本発明は、布地に銀メッキした導電布電極２間の抵抗値は導電体１に加える圧力によって変化する。【００７１】本第１７発明の実施形態について説明する。
図１において加圧によって抵抗値が変化する導電体１の両面に布地に金メッキした導電布電極２を装着する。本発明は、布地に金メッキした導電布電極２間の抵抗値は導電体１に加える圧力によって変化する。【００７２】本第１８発明の実施形態について説明する。
図１において加圧によって抵抗値が変化する導電体１の両面に布地に鉄＋ニッケルメッキした導電布電極２を装着する。本発明は、布地に鉄＋ニッケルメッキした導電布電極２間の抵抗値は導電体１に加える圧力によって変化する。【００７３】本第１９発明の実施形態について説明する。
図１において加圧によって抵抗値が変化する導電体１の両面に布地に黒金属メッキした導電布電極２を装着する。本発明は、布地に黒金属メッキした導電布電極２間の抵抗値は導電体１に加える圧力によって変化する。【００７４】本第２０発明の実施形態について説明する。
図２において第１発明〜第１９発明のフレキシブルタッチセンサの加圧によって抵抗値が変化する導電体１の両面に導電布電極２を装着し、保護材３で保護する。本発明は、以上の構成で外圧から導電布電極２と導電体１を保護材で保護する。【００７５】本第２１発明の実施形態について説明する。
図２において第１発明〜第１９発明のフレキシブルタッチセンサの加圧によって抵抗値が変化する導電体１の両面に導電布電極２を装着し、ＴＰＯ保護材で保護する。本発明は、以上の構成で外圧から導電布電極２と導電体１をＴＰＯ保護材で保護する。【００７６】本第２２発明の実施形態について説明する。
図２において第１発明〜第１９発明のフレキシブルタッチセンサの加圧によって抵抗値が変化する導電体１の両面に導電布電極２を装着し、塩化ビニ−ルで保護する。本発明は、以上の構成で外圧から導電布電極２と導電体１を塩化ビニ−ルで保護する。【００７７】本第２３発明の実施形態について説明する。
図２において第１発明〜第１９発明のフレキシブルタッチセンサを加圧することにより抵抗値が変化する導電体１の両面に導電布電極２を装着する。本発明は、以上の構成で外圧から導電布電極２と導電体１は加圧により合皮で保護する。【００７８】本第２４発明の実施形態について説明する。
図１において第１発明〜第２３発明のフレキシブルタッチセンサの加圧することにより抵抗値が変化する導電体１の両面に導電布電極２を装着する。本発明は、以上の構成で導電体１は加圧により抵抗値が急激に低下する圧力・抵抗特性を持つ。【００７９】本第２５発明の実施形態について説明する。
図１において第１発明〜第２３発明のフレキシブルタッチセンサの加圧することにより抵抗値が変化する導電体１の両面に導電布電極２を装着する。本発明は、以上の構成で導電体１は加圧により抵抗値が加圧に応じて減少する圧力・抵抗特性を持つ。【００８０】本第２６発明の実施形態について説明する。
図１において第２４発明のフレキシブルタッチセンサを加圧することにより抵抗値が急激に低下する圧力・抵抗特性を持つ導電体１の両面に導電布電極２を装着する。本発明は、以上の構成で加圧した時にＯＮ、無負荷の時にＯＦＦとなるスイッチ特性を持つ。【００８１】本第２７発明の実施形態２７について説明する。
図３において第１〜第２５発明のフレキシブルタッチセンサつまり圧力検知部４の出力はアナログ変換器５の入力に接続される。【００８２】本第２７発明は、以上の構成により図３の圧力検知部４を加圧したときに圧力に応じて圧力検知部４の抵抗値が変化するこの抵抗変化値をアナログ変換器５でアナログに変換し出力する。【００８３】本第２８発明の実施形態２８について説明する。
図４において第１〜第２５発明のフレキシブルタッチセンサつまり圧力検知部４の出力はデジタル変換器６の入力に接続される。【００８４】本第２８発明は、以上の構成により図４の圧力検知部４を加圧したときに圧力に応じて圧力検知部４の抵抗値が変化するこの抵抗変化値をデジタル変換器６Λ／Ｄでデジタルに変換し出力する。【００８５】本第２９発明の実施形態２９について説明する。
図５において第２７発明のフレキシブルタッチセンサつまり圧力検知部４の出力はアナログ変換器５の入力に接続され、前記アナログ変換器の出力はアナログ比較器７の入力に接続される。【００８６】本第２９発明は、以上の構成により図５の圧力検知部４を加圧したときに圧力に応じて圧力検知部４の抵抗値が変化する、この抵抗変化値をアナログ変換器５でアナログに変換する前記アナログ変換器５の出力をアナログ比較器７であらかじめ設定した値と比較し、設定値以上の場合にはアナログ比較器７から信号を出力する。【００８７】本第３０発明の実施形態３０について説明する。
図６出力において第１発明、第２発明のフレキシブルタッチセンサつまり圧力検知部４の出力はデジタル変換器６の入力に接続され、前記デジタル変換器の出力はデジタル比較器８の入力に接続される。【００８８】本第３０発明は、以上の構成により図６の圧力検知部４を加圧したときに圧力に応じて圧力検知部４の抵抗値が変化する、この抵抗変化値をデジタル変換器６でデジタル変換する前記デジタル変換器６の出力をデジタル比較器８であらかじめ設定した値と比較し、設定値以上の場合にはデジタル比較器８から信号を出力する。【００８９】本第３１発明の実施形態３１について説明する。
図７出力において第２９発明のフレキシブルタッチセンサつまり圧力検知部４の出力はアナログ変換器５アナログ変換器５の入力に接続され、前記アナログ変換器５の出力はアナログ比較器７の入力に接続され、前記アナログ比較器７の出力は無線通報器９の入力に接続される。【００９０】本第３１発明は、以上の構成により図７の圧力検知部４を加圧したときに圧力に応じて圧力検知部４の抵抗値が変化する、この抵抗変化値をアナログ変換器５でアナログ変換する前記アナログ変換器５の出力をアナログ比較器７であらかじめ設定した値と比較し設定値以上の場合には微弱電波または特定小電力無線または小電力無線または携帯電話器またはＰＨＳまたは光通信または超音波またはＩＰＶ６の無線通報器９から第三者に通報する。
またアナログ比較器７の結果にかかわりなく、圧力検知部４の圧力情報を無線通報器９から第三者に送ることが出来る。【００９１】本第３２発明の実施形態３２について説明する。
図８において第１発明、第２発明のフレキシブルタッチセンサつまり圧力検知部４の出力はデジタル変換器６の入力に接続され、前記デジタル変換器６の出力はデジタル比較器８の入力に接続され、前記デジタル比較器８の出力は無線通報器１０の入力に接続される。【００９２】本第３２発明は、以上の構成により図８の圧力検知部４を加圧したときに圧力に応じて圧力検知部４の抵抗値が変化する、この抵抗変化値をデジタル変換器６でデジタルに変換する前記デジタル変換器６の出力をデジタル比較器８であらかじめ設定した値と比較し、設定値以上の場合には微弱電波または特定小電力無線または小電力無線または携帯電話器またはＰＨＳまたは光通信または超音波またはＩＰＶ６の無線通報器１０から第三者に通報する。
またデジタル比較器８の結果にかかわりなく、圧力検知部４の圧力情報を無線通報器１０から第三者に送ることが出来る。【００９３】本第３３発明の実施形態について説明する。
図９において第２９発明のフレキシブルタッチセンサつまり圧力検知部４の出力はアナログ変換器５の入力に接続され、前記アナログ変換器５の出力はアナログ比較器７の入力に接続され前記アナログ比較器７の出力は有線１１を経由して受信器１２に接続される。【００９４】本第３３発明は、以上の構成により図９の圧力検知部４を加圧したときに圧力に応じて圧力検知部４の抵抗値が変化する、この抵抗変化値をアナログ変換器５でアナログに変換する前記アナログ変換器５の出力をアナログ比較器７であらかじめ設定した値と比較し、設定値以上の場合には病院または介護施設または高齢者住宅または保育園または幼稚園またはその他の施設内での有線１１またはインタ−ネット・ＩＰＶ６を経由して受信器１２に通報する。またアナログ比較器７の結果にかかわりなく、圧力検知部４の圧力情報を有線経由で第三者に送ることが出来る。【００９５】本第３４発明の実施形態３４について説明する。
図１０において第３０発明のフレキシブルセンサつまり圧力検知部４の出力はデジタル変換器６の入力に接続され、前記デジタル変換器６の出力はデジタル比較器８の入力に接続され前記デジタル比較器８の出力は有線１１を経由して受信器１２に接続される。【００９６】本第３４発明は以上の構成により図１０の圧力検知部４を加圧したときに圧力に応じて圧力検知部４の抵抗値が変化する、この抵抗変化値をデジタル変換器６でデジタルに変換する前記デジタル変換器６の出力をデジタル比較器８であらかじめ設定した値と比較し、設定値以上の場合には病院または介護施設または高齢者住宅または保育園または幼稚園またはその他の施設内での有線またはインタ−ネット・Ｉｐｕ６を経由して受信器１２に通報する。またアナログ比較器７の結果にかかわりなく圧力検知部４の圧力情報を、有線１１を経由して第三者に送ることが出来る。【００９７】本第３５発明の実施形態３５について説明する。
図１１において導電体の両面に導電布電極を複数平列に装着する本発明は、導電体に導電布電極を複数平列に装着して検知エリアを拡大する。
【図面の簡単な説明】
【００４７】
【図１】本第１発明の斜視図
【図２】本第２発明の斜視図
【図３】本第３発明のブロックダイアグラム
【図４】本第４発明のブロックダイアグラム
【図５】本第５発明のブロックダイアグラム
【図６】本第６発明のブロックダイアグラム
【図７】本第７発明のブロックダイアグラム
【図８】本第８発明のブロックダイアグラム
【図９】本第９発明のブロックダイアグラム
【図１０】本第１０発明のブロックダイアグラム
【図１１】本第３５発明の導電布電極図
【符号の説明】
【００４８】１．加圧により抵抗値が変化する導電体
２．導電布電極
３．保護材
４．圧力検知部
５．アナログ変換器
６．デジタル変換器
７．アナログ比較器
８．デジタル比較器
９．無線通報器
１０．無線通報器
１１．有線
１２．受信器
１３．受信器
【図１】
2006074729.tif 000003
【図２】
2006074729.tif 000004
【図３】
2006074729.tif 000005
【図４】
2006074729.tif 000006
【図５】
2006074729.tif 000007
【図６】
2006074729.tif 000008
【図７】
2006074729.tif 000009
【図８】
2006074729.tif 000010
【図９】
2006074729.tif 000011
【図１０】
2006074729.tif 000012
【図１１】
2006074729.tif 000013